(57)【要約】【課題】建物の内部空間に形成された複数の作業エリアの気温を確実に降下させることができるスポット空調システムを提供する。【解決手段】スポット空調システム１０は、空調装置１９に接続されて作業エリア１４に向かって冷却空気を送気するスポット空調用吹出口２１と、微霧発生装置２２に接続されて作業エリア１４に向かって微霧を噴霧する微霧噴射ノズル２４とを備えている。システム１０では、微霧噴射ノズル２４がスポット空調用吹出口２１よりも上方であってノズル２４から噴霧された微霧を吹出口２１から送気された冷却空気の気流に乗せることが可能な設置位置に配置され、冷却空気の気流に乗った微霧がその冷却空気の気流中で気化する。【選択図】図１
2011033221.tif 000002
【特許請求の範囲】
【請求項１】
建物の内部空間に形成された複数の作業エリアの気温を降下させるスポット空調システムにおいて、
前記スポット空調システムが、空調装置に接続されて前記作業エリアに向かって冷却空気を送気するスポット空調用吹出口と、微霧発生装置に接続されて前記作業エリアに向かって微霧を噴霧する少なくとも１つの微霧噴射ノズルとを備え、前記微霧噴射ノズルが、前記スポット空調用吹出口の近傍または該吹出口から離間した位置であって該ノズルから噴霧された微霧を該吹出口から送気された冷却空気の気流に乗せることが可能な設置位置に配置され、前記冷却空気の気流に乗った微霧が、その冷却空気の気流中で気化することを特徴とするスポット空調システム。
【請求項２】
前記微霧噴射ノズルが、上下方向と横方向との少なくとも一方へ移動可能であり、前記スポット空調システムでは、前記建物の内部空間の温度が高いときに、前記微霧噴射ノズルが前記スポット空調用吹出口に近い第１設置位置に配置され、前記建物の内部空間の温度が低いときに、前記微霧噴射ノズルが前記第１設置位置から上方と横方向との少なくとも一方へ離間した第２設置位置に配置される請求項１記載のスポット空調システム。
【請求項３】
前記スポット空調システムでは、前記微霧噴射ノズルの向きを前記第１および第２設置位置において横方向へ変更可能であり、前記建物の内部空間の温度が高いときに、前記微霧噴射ノズルの向きが前記スポット空調用吹出口に向かう方向に保持され、前記建物の内部空間の温度が低いときに、前記微霧噴射ノズルの向きが前記スポット空調用吹出口から離間する方向に保持される請求項２記載のスポット空調システム。
【請求項４】
前記第１設置位置に配置された前記微霧噴射ノズルの噴射口と前記第２設置位置に配置された前記微霧噴射ノズルの噴射口とから下方へ引いた仮想線が、前記スポット空調用吹出口の中心から横方向両側に向かって０〜３ｍの範囲内にある請求項２または請求項３に記載のスポット空調システム。
【請求項５】
前記第１設置位置が、前記スポット空調用吹出口の上端から上方へ０〜１００ｃｍの範囲にあり、前記第２設置位置が、前記第１設置位置から上方へ２０〜１００ｃｍの範囲にある請求項２ないし請求項４いずれかに記載のスポット空調システム。
【請求項６】
前記微霧噴射ノズルの角度が、前記設置位置において上下方向へ変更可能であり、前記スポット空調システムでは、前記建物の内部空間の温度が高いときに、前記微霧噴射ノズルの角度が前記スポット空調用吹出口に向かうように傾斜した第１角度に保持され、前記建物の内部空間の温度が低いときに、前記微霧噴射ノズルの角度が前記スポット空調用吹出口から離間するように傾斜した第２角度に保持される請求項１記載のスポット空調システム。
【請求項７】
前記微霧噴射ノズルが、横方向へ移動可能であり、前記スポット空調システムでは、前記建物の内部空間の温度が高いときに、前記微霧噴射ノズルが前記スポット空調用吹出口に近い近接位置に配置され、前記建物の内部空間の温度が低いときに、前記微霧噴射ノズルが前記近接位置から横方向へ離間した離間位置に配置される請求項６記載のスポット空調システム。
【請求項８】
前記スポット空調システムでは、前記微霧噴射ノズルの向きを前記設置位置において横方向へ変更可能であり、前記建物の内部空間の温度が高いときに、前記微霧噴射ノズルの向きが前記スポット空調用吹出口に向かう方向に保持され、前記建物の内部空間の温度が低いときに、前記微霧噴射ノズルの向きが前記スポット空調用吹出口から離間する方向に保持される請求項６または請求項７に記載のスポット空調システム。
【請求項９】
前記設置位置に配置された前記微霧噴射ノズルの噴射口から下方へ引いた仮想線が、前記スポット空調用吹出口の中心から横方向両側に向かって０〜３ｍの範囲内にある請求項６ないし請求項８いずれかに記載のスポット空調システム。
【請求項１０】
前記設置位置が、前記スポット空調用吹出口の上端から上方へ０〜１００ｃｍの範囲にある請求項６ないし請求項９いずれかに記載のスポット空調システム。
【請求項１１】
前記第１角度を前記設置位置に配置された前記微霧噴射ノズルの噴射口から下方へ引いた仮想線と該ノズルの軸線との交差角度とした場合のその交差角度が、９０〜１８０度の範囲にあり、前記第２角度を前記設置位置に配置された前記微霧噴射ノズルの噴射口から下方へ引いた仮想線と該ノズルの軸線との交差角度とした場合のその交差角度が、４５〜９０度の範囲にある請求項６ないし請求項１０いずれかに記載のスポット空調システム。
【請求項１２】
前記スポット空調システムが、前記作業エリアを除く前記建物の内部空間の湿度を測定する湿度センサを備え、前記スポット空調システムでは、前記湿度センサが測定した測定湿度が設定湿度以下のときに、前記微霧噴射ノズルから微霧を噴霧し、前記測定湿度が設定湿度を超過すると、前記微霧の噴霧を停止する請求項１ないし請求項１１いずれかに記載のスポット空調システム。
【請求項１３】
前記スポット空調システムが、前記作業エリアを除く前記建物の内部空間の温度を測定する温度センサを備え、前記スポット空調システムでは、前記温度センサが測定した測定温度が設定温度以上のときに、前記微霧噴射ノズルから微霧を噴霧し、前記測定温度が設定温度未満のときに、前記微霧の噴霧を停止する請求項１ないし請求項１２いずれかに記載のスポット空調システム。
【請求項１４】
前記スポット空調用吹出口から送気される冷却空気が、前記建物の内部空間の湿度と同一湿度の空気または前記湿度よりも減湿された空気である請求項１ないし請求項１３いずれかに記載のスポット空調システム。
【発明の詳細な説明】
【技術分野】
【０００１】
本発明は、建物の内部空間に形成された複数の作業エリアの気温を降下させるスポット空調システムに関する。
【背景技術】
【０００２】
内部に大空間を有する建屋の一部に設けられた作業区画と、その作業区画に隣接する箇所の上部に配管を介して設置された噴霧ノズルとを備え、噴霧ノズルから一流体方式で微霧が噴霧され、その微霧が蒸散（気化）することによって生じた冷気が降下し、降下した冷気が作業区画に広がってその区画を降温する降温用噴霧システムがある（特許文献１参照）。この降温用噴霧システムでは、降下した冷気が作業区画に集中して流れるように、気流を作る送風機が作業区画の近傍に設置されている。
【先行技術文献】
【特許文献】
【０００３】
【特許文献１】特開２００８−３０４０８６号公報
【発明の概要】
【発明が解決しようとする課題】
【０００４】
前記公報に開示の降温用噴霧システムは、微霧が蒸散することによって生じた冷気を利用して作業区画の気温を降下させることができる。しかし、微霧の蒸散によって生じた冷気のみを作業区画の気温降下に利用するだけでは、作業区画の気温を迅速に降下させることができず、作業区画を直ちに作業に適した温度にすることができない。また、この降温用噴霧システムは、冷気が作業区画に集中して流れるように、作業区画の近傍に送風機が設置されているが、送風機からの風によってかえって冷気が作業区画の周辺に拡散し、冷気を作業区画の気温降下に十分に利用できない場合がある。
【０００５】
なお、作業区画の気温を降下させる手段として、作業区画に冷気を送気するスポット空調が利用される場合がある。スポット空調は、スポット空調用吹出口の直近ではそこから放出される冷気によって気温が低下するが、吹出口から離れた作業区画では吹出口から放出された冷気が作業区画に達する間に室内空気と混合されてその温度が上昇し、冷気が作業区画に存在する作業者に達したとしても、その作業者に単に気流感のみしか与えず、作業区画を作業に適した温度にすることができない場合がある。
【０００６】
本発明の目的は、建物の内部空間に形成された複数の作業エリアの気温を確実かつ迅速に降下させることができ、作業エリアを直ちに作業に適した温度にすることができるスポット空調システムを提供することにある。
【課題を解決するための手段】
【０００７】
前記課題を解決するための本発明の前提は、建物の内部空間に形成された複数の作業エリアの気温を降下させるスポット空調システムである。
【０００８】
前記前提における本発明の特徴としては、スポット空調システムが、空調装置に接続されて作業エリアに向かって冷却空気を送気するスポット空調用吹出口と、微霧発生装置に接続されて作業エリアに向かって微霧を噴霧する少なくとも１つの微霧噴射ノズルとを備え、微霧噴射ノズルがスポット空調用吹出口の近傍また該吹出口から離間した位置であってノズルから噴霧された微霧を吹出口から送気された冷却空気の気流に乗せることが可能な設置位置に配置され、冷却空気の気流に乗った微霧がその冷却空気の気流中で気化することにある。
【０００９】
本発明の一例としては、微霧噴射ノズルが、上下方向と横方向との少なくとも一方へ移動可能であり、スポット空調システムでは、建物の内部空間の温度が高いときに、微霧噴射ノズルがスポット空調用吹出口に近い第１設置位置に配置され、建物の内部空間の温度が低いときに、微霧噴射ノズルが第１設置位置から上方と横方向との少なくとも一方へ離間した第２設置位置に配置される。
【００１０】
本発明の他の一例として、スポット空調システムでは、微霧噴射ノズルの向きを第１および第２設置位置において横方向へ変更可能であり、建物の内部空間の温度が高いときに、微霧噴射ノズルの向きがスポット空調用吹出口に向かう方向に保持され、建物の内部空間の温度が低いときに、微霧噴射ノズルの向きがスポット空調用吹出口から離間する方向に保持される。
【００１１】
本発明の他の一例としては、第１設置位置に配置された微霧噴射ノズルの噴射口と第２設置位置に配置された微霧噴射ノズルの噴射口とから下方へ引いた仮想線がスポット空調用吹出口の中心から横方向両側に向かって０〜３ｍの範囲内にある。
【００１２】
本発明の他の一例としては、第１設置位置がスポット空調用吹出口の上端から上方へ０〜１００ｃｍの範囲にあり、第２設置位置が第１設置位置から上方へ２０〜１００ｃｍの範囲にある。
【００１３】
本発明の他の一例としては、微霧噴射ノズルの角度が設置位置において上下方向へ変更可能であり、スポット空調システムでは、建物の内部空間の温度が高いときに、微霧噴射ノズルの角度がスポット空調用吹出口に向かうように傾斜した第１角度に保持され、建物の内部空間の温度が低いときに、微霧噴射ノズルの角度がスポット空調用吹出口から離間するように傾斜した第２角度に保持される。
【００１４】
本発明の他の一例としては、微霧噴射ノズルが横方向へ移動可能であり、スポット空調システムでは、建物の内部空間の温度が高いときに、微霧噴射ノズルがスポット空調用吹出口に近い近接位置に配置され、建物の内部空間の温度が低いときに、微霧噴射ノズルが近接位置から横方向へ離間した離間位置に配置される。
【００１５】
本発明の他の一例として、スポット空調システムでは、微霧噴射ノズルの向きを設置位置において横方向へ変更可能であり、建物の内部空間の温度が高いときに、微霧噴射ノズルの向きがスポット空調用吹出口に向かう方向に保持され、建物の内部空間の温度が低いときに、微霧噴射ノズルの向きがスポット空調用吹出口から離間する方向に保持される。
【００１６】
本発明の他の一例としては、設置位置に配置された微霧噴射ノズルの噴射口から下方へ引いた仮想線がスポット空調用吹出口の中心から横方向両側に向かって０〜３ｍの範囲内。
【００１７】
本発明の他の一例としては、設置位置がスポット空調用吹出口の上端から上方へ０〜１００ｃｍの範囲にある。
【００１８】
本発明の他の一例としては、第１角度を設置位置に配置された微霧噴射ノズルの噴射口から下方へ引いた仮想線とノズルの軸線との交差角度とした場合のその交差角度が９０〜１８０度の範囲にあり、第２角度を設置位置に配置された微霧噴射ノズルの噴射口から下方へ引いた仮想線とノズルの軸線との交差角度とした場合のその交差角度が４５〜９０度の範囲にある。
【００１９】
本発明の他の一例としては、スポット空調システムが作業エリアを除く建物の内部空間の湿度を測定する湿度センサを備え、スポット空調システムでは、湿度センサが測定した測定湿度が設定湿度以下のときに、微霧噴射ノズルから微霧を噴霧し、測定湿度が設定湿度を超過すると、微霧の噴霧を停止する。
【００２０】
本発明の他の一例としては、スポット空調システムが作業エリアを除く建物の内部空間の温度を測定する温度センサを備え、スポット空調システムでは、温度センサが測定した測定温度が設定温度以上のときに、微霧噴射ノズルから微霧を噴霧し、測定温度が設定温度未満のときに、微霧の噴霧を停止する。
【００２１】
本発明の他の一例としては、スポット空調用吹出口から送気される冷却空気が建物の内部空間の湿度と同一湿度の空気または湿度よりも減湿された空気である。
【発明の効果】
【００２２】
本発明にかかるスポット空調システムによれば、微霧をスポット空調用吹出口から送気された冷却空気の気流に乗せることが可能な設置位置に微霧噴射ノズルが配置されているから、吹出口から送気される冷却空気の気流中で微霧を気化させることができ、微霧を作業エリアの気温降下に確実に利用することができる。スポット空調システムは、スポット空調用吹出口から送気される冷却空気の気流中で微霧が気化するから、冷却空気が室内空気と混合したとしても、冷却空気の温度上昇を抑制することができ、冷却空気を作業エリアの気温降下に確実に利用することができる。スポット空調システムは、微霧の気化を利用して冷却空気の温度上昇を抑制するから、小さな冷却出力で空調装置を運転することができ、空調装置の消費電力を低減することができる。このスポット空調システムは、スポット空調用吹出口から送気された冷却空気と微霧噴射ノズルから噴霧された微霧の気化冷却とを利用し、作業エリアの気温を確実かつ迅速に降下させることができ、作業エリアを直ちに作業に適した温度にすることができる。
【００２３】
建物の内部空間の温度が高いときに微霧噴射ノズルがスポット空調用吹出口に近い第１設置位置に配置され、建物の内部空間の温度が低いときにノズルが第１設置位置から上方と横方向との少なくとも一方へ離間した第２設置位置に配置されるスポット空調システムは、建物の内部空間の温度が高いときにノズルを吹出口に近い第１設置位置に配置することで、ノズルから噴霧される微霧の大部分が吹出口から送気される冷却空気の気流に乗り、その結果、大部分の微霧の冷却空気の気流中における気化が作業エリアまたはその近傍となり、冷却空気と微霧の気化冷却とを利用し、作業エリアの気温の降下幅を大きくすることができる。一方、建物の内部空間の温度が低いときにノズルを第１設置位置から上方と横方向との少なくとも一方へ離間した第２設置位置に配置することで、ノズルから噴霧される微霧の一部が吹出口から送気される冷却空気の気流に乗る前に気化し、その結果、気化した一部の微霧を除く微霧のみが冷却空気の気流中で気化し、微霧の大部分が冷却空気の気流中で気化する場合と比較し、作業エリアの気温の降下幅が小さく、作業エリアの必要以上の温度低下を防ぐことができる。
【００２４】
微霧噴射ノズルの向きを第１および第２設置位置において横方向へ変更可能であり、建物の内部空間の温度が高いときに微霧噴射ノズルの向きがスポット空調用吹出口に向かう方向に保持され、建物の内部空間の温度が低いときに微霧噴射ノズルの向きがスポット空調用吹出口から離間する方向に保持されるスポット空調システムは、建物の内部空間の温度が高いときにノズルの向きを吹出口に向かう方向に保持することで、ノズルから噴霧される微霧の大部分が吹出口から送気される冷却空気の気流に乗り、その結果、大部分の微霧の冷却空気の気流中における気化が作業エリアまたはその近傍となり、冷却空気と微霧の気化冷却とを利用し、作業エリアの気温の降下幅を大きくすることができる。一方、建物の内部空間の温度が低いときにノズルの向きを吹出口から離間する方向に保持することで、ノズルから噴霧される微霧の一部が吹出口から送気される冷却空気の気流に乗る前に気化し、その結果、気化した一部の微霧を除く微霧のみが冷却空気の気流中で気化し、微霧の大部分が冷却空気の気流中で気化する場合と比較し、作業エリアの気温の降下幅が小さく、作業エリアの必要以上の温度低下を防ぐことができる。
【００２５】
第１設置位置に配置された微霧噴射ノズルの噴射口と第２設置位置に配置された微霧噴射ノズルの噴射口とから下方へ引いた仮想線がスポット空調用吹出口の中心から横方向両側に向かって０〜３ｍの範囲内にあるポット空調システムは、第１設置位置と第２設置位置とがスポット空調用吹出口の周縁から大きく離間した位置になることはなく、微霧噴射ノズルから噴霧された微霧を吹出口から送気された冷却空気の気流に確実に乗せることができるとともに、微霧を冷却空気の気流中において気化させることができ、作業エリアの気温を確実かつ迅速に降下させることができる。
【００２６】
第１設置位置がスポット空調用吹出口の上端から上方へ０〜１００ｃｍの範囲にあり、第２設置位置が第１設置位置から上方へ２０〜１００ｃｍの範囲にあるスポット空調システムは、建物の内部空間の温度が高いときにノズルを吹出口の上端から上方へ０〜１００ｃｍの範囲の第１設置位置に配置することで、ノズルから噴霧される微霧の大部分が吹出口から送気される冷却空気の気流に乗り、その結果、大部分の微霧の冷却空気の気流中における気化が作業エリアまたはその近傍となり、冷却空気と微霧の気化冷却とを利用し、作業エリアの気温の降下幅を大きくすることができる。一方、建物の内部空間の温度が低いときにノズルを第１設置位置から上方へ２０〜１００ｃｍの範囲の第２設置位置に配置することで、ノズルから噴霧される微霧の一部が吹出口から送気される冷却空気の気流に乗る前に気化し、その結果、気化した一部の微霧を除く微霧のみが冷却空気の気流中で気化し、微霧の大部分が冷却空気の気流中で気化する場合と比較し、作業エリアの気温の降下幅が小さく、作業エリアの必要以上の温度低下を防ぐことができる。
【００２７】
建物の内部空間の温度が高いときに微霧噴射ノズルの角度がスポット空調用吹出口に向かうように傾斜した第１角度に保持され、建物の内部空間の温度が低いときにノズルの角度が吹出口から離間するように傾斜した第２角度に保持されるスポット空調システムは、建物の内部空間の温度が高いときにノズルの角度を第１角度に保持することで、ノズルから噴霧される微霧の大部分が吹出口から送気される冷却空気の気流に乗り、その結果、大部分の微霧の冷却空気の気流中における気化が作業エリアまたはその近傍となり、冷却空気と微霧の気化冷却とを利用し、作業エリアの気温の降下幅を大きくすることができる。一方、建物の内部空間の温度が低いときにノズルの角度を第２角度に保持することで、ノズルから噴霧される微霧の一部が吹出口から送気される冷却空気の気流に乗る前に気化し、その結果、気化した一部の微霧を除く微霧のみが冷却空気の気流中で気化し、微霧の大部分が冷却空気の気流中で気化する場合と比較し、作業エリアの気温の降下幅が小さく、作業エリアの必要以上の温度低下を防ぐことができる。
【００２８】
建物の内部空間の温度が高いときに微霧噴射ノズルがスポット空調用吹出口に近い近接位置に配置され、建物の内部空間の温度が低いときに微霧噴射ノズルが近接位置から横方向へ離間した離間位置に配置されるスポット空調システムは、建物の内部空間の温度が高いときにノズルを吹出口に近い近接位置に配置することで、ノズルから噴霧される微霧の大部分が吹出口から送気される冷却空気の気流に乗り、その結果、大部分の微霧の冷却空気の気流中における気化が作業エリアまたはその近傍となり、冷却空気と微霧の気化冷却とを利用し、作業エリアの気温の降下幅を大きくすることができる。一方、建物の内部空間の温度が低いときにノズルを近接位置から横方向へ離間した離間位置に配置することで、ノズルから噴霧される微霧の一部が吹出口から送気される冷却空気の気流に乗る前に気化し、その結果、気化した一部の微霧を除く微霧のみが冷却空気の気流中で気化し、微霧の大部分が冷却空気の気流中で気化する場合と比較し、作業エリアの気温の降下幅が小さく、作業エリアの必要以上の温度低下を防ぐことができる。
【００２９】
微霧噴射ノズルの向きを設置位置において横方向へ変更可能であり、建物の内部空間の温度が高いときに微霧噴射ノズルの向きがスポット空調用吹出口に向かう方向に保持され、建物の内部空間の温度が低いときに微霧噴射ノズルの向きがスポット空調用吹出口から離間する方向に保持されるスポット空調システムは、建物の内部空間の温度が高いときにノズルの向きを吹出口に向かう方向に保持することで、ノズルから噴霧される微霧の大部分が吹出口から送気される冷却空気の気流に乗り、その結果、大部分の微霧の冷却空気の気流中における気化が作業エリアまたはその近傍となり、冷却空気と微霧の気化冷却とを利用し、作業エリアの気温の降下幅を大きくすることができる。一方、建物の内部空間の温度が低いときにノズルの向きを吹出口から離間する方向に保持することで、ノズルから噴霧される微霧の一部が吹出口から送気される冷却空気の気流に乗る前に気化し、その結果、気化した一部の微霧を除く微霧のみが冷却空気の気流中で気化し、微霧の大部分が冷却空気の気流中で気化する場合と比較し、作業エリアの気温の降下幅が小さく、作業エリアの必要以上の温度低下を防ぐことができる。
【００３０】
設置位置に配置された微霧噴射ノズルの噴射口から下方へ引いた仮想線がスポット空調用吹出口の中心から横方向両側に向かって０〜３ｍの範囲内にあるスポット空調システムは、設置位置がスポット空調用吹出口の周縁から大きく離間した位置になることはなく、その設置位置において微霧噴射ノズルの角度を変更したとしても、ノズルから噴霧された微霧を吹出口から送気された冷却空気の気流に確実に乗せることができるとともに、微霧を冷却空気の気流中において気化させることができ、作業エリアの気温を確実かつ迅速に降下させることができる。
【００３１】
設置位置がスポット空調用吹出口の上端から上方へ０〜１００ｃｍの範囲にあるスポット空調システムは、建物の内部空間の温度が高いときにその設置位置において微霧噴射ノズルの角度を第１角度に保持することで、大部分の微霧の気化を作業エリアまたはその近傍にすることができ、冷却空気と微霧の気化冷却とを利用し、作業エリアの気温の降下幅を大きくすることができる。一方、建物の内部空間の温度が低いときにその設置位置において微霧噴射ノズルの角度を第２角度に保持し、気化した一部の微霧を除く微霧のみを冷却空気の気流中で気化させ、作業エリアの気温の降下幅を小さくすることで、作業エリアの必要以上の温度低下を防ぐことができる。
【００３２】
第１角度を設置位置に配置された微霧噴射ノズルの噴射口から下方へ引いた仮想線とノズルの軸線との交差角度として表した場合のその交差角度が９０〜１８０度の範囲にあり、第２角度を設置位置に配置された微霧噴射ノズルの噴射口から下方へ引いた仮想線とノズルの軸線との交差角度とした場合のその交差角度が４５〜９０度の範囲にあるスポット空調システムは、建物の内部空間の温度が高いときに前記仮想線と前記軸線との交差角度として表される第１角度を９０〜１８０度の範囲に保持することで、ノズルから噴霧される微霧の大部分が吹出口から送気される冷却空気の気流に乗り、その結果、大部分の微霧の冷却空気の気流中における気化が作業エリアまたはその近傍となり、冷却空気と微霧の気化冷却とを利用し、作業エリアの気温の降下幅を大きくすることができる。一方、建物の内部空間の温度が低いときに前記仮想線と前記軸線との交差角度として表される第２角度を０〜９０度の範囲に保持することで、ノズルから噴霧される微霧の一部が吹出口から送気される冷却空気の気流に乗る前に気化し、その結果、気化した一部の微霧を除く微霧のみが冷却空気の気流中で気化し、微霧の大部分が冷却空気の気流中で気化する場合と比較し、作業エリアの気温の降下幅が小さく、作業エリアの必要以上の温度低下を防ぐことができる。
【００３３】
建物の内部空間の測定湿度が設定湿度以下のときに、微霧噴射ノズルから微霧を噴霧し、測定湿度が設定湿度を超過すると、微霧の噴霧を停止するスポット空調システムは、建物の内部空間の測定湿度が設定湿度を超過した場合にノズルから微霧を噴霧すると、微霧が冷却空気の気流中において十分に気化せず、水滴として作業者に付着してしまい、作業者に不快感を与えるが、この場合に微霧の噴霧を停止するから、作業者に水滴が付着することはなく、作業者に不快感を与えることはない。
【００３４】
温度センサが測定した測定温度が設定温度以上のときに、微霧噴射ノズルから微霧を噴霧し、測定温度が設定温度未満のときに、微霧の噴霧を停止するスポット空調システムは、測定温度が設定湿度未満の場合、微霧の気化冷却を利用して作業エリアの温度を降下させる必要はなく、微霧発生装置の稼動を停止することで、システムの消費電力を低減することができる。
【００３５】
スポット空調用吹出口から送気される冷却空気が建物の内部空間の湿度と同一湿度の空気または湿度よりも減湿された空気であるスポット空調システムは、冷却空気が建物の内部空間の湿度と同一湿度の空気であったとしても、微霧の冷却空気の気流中における気化によって冷却空気の温度上昇を防ぎ、それによって作業エリアを作業に適した温度にすることができる。また、冷却空気が建物の内部空間の湿度よりも減湿された空気である場合は、スポット空調用吹出口からの冷却された冷却空気の気流中で微霧噴射ノズルから噴霧された微霧が確実に気化し、冷却空気と微霧の気化冷却とを利用し、作業エリアの気温を迅速に降下させることができ、作業エリアを直ちに作業に適した温度にすることができる。
【図面の簡単な説明】
【００３６】
【図１】一例として示すスポット空調システムの構成図。
【図２】一例として示す吹出口とノズルとの正面図。
【図３】一例として示す吹出口とノズルとの正面図。
【図４】他の一例として示す吹出口とノズルとの正面図。
【図５】他の一例として示す吹出口とノズルとの正面図。
【図６】吹出口とノズルとの側面図。
【図７】レールに固定した状態で示すノズルの正面図。
【図８】レールに固定した状態で示すノズルの側面図。
【図９】他の一例として示す吹出口とノズルとの正面図。
【図１０】他の一例として示す吹出口とノズルとの正面図。
【図１１】他の一例として示す吹出口とノズルとの正面図。
【図１２】レールに固定した状態で示すノズルの側面図。
【図１３】第１角度に保持されたノズルの側面図。
【図１４】第２角度に保持されたノズルの側面図。
【図１５】他の一例として示す吹出口とノズルとの正面図。
【発明を実施するための形態】
【００３７】
一例として示すスポット空調システム１０の構成図である図１等の添付の図面を参照し、本発明にかかるスポット空調システムの詳細を説明すると、以下のとおりである。このスポット空調システム１０は、大きな内部空間１１（作業場）を有する各種工場１２（建物）に施設される。なお、工場１２の内部空間１１は、各作業者１３が作業を行う複数の作業エリア１４に区画されている。
【００３８】
工場１２は、その屋根に換気用の煙突３８が設置され、壁に換気窓３９が施設されている。工場１２では、各種複数の生産設備や生産物から発散する熱によって、その内部空間１１の温度が外気温度よりも大幅に上昇する。工場１２の内部空間１１全域を空調装置によって冷却するには膨大な電力を必要とする一方、工場１２の各作業エリア１４の温度を下げなければ、そこで作業する作業者１３の作業効率が著しく低下する。そこで、作業エリア１４のみの温度を個別に降下させるシステムとしてこのスポット空調システム１０が有効に利用される。
【００３９】
システム１０は、スポット空調冷却ユニット１５と微霧噴霧ユニット１６と湿度センサ１７および温度センサ１８とから形成されている。スポット空調冷却ユニット１５は、空調装置１９と送気ダクト２０とスポット空調用吹出口２１とを備えている。空調装置１９は、送気ダクト２０を介して空調空気（冷却空気）を各作業エリア１４に送る。なお、空調装置１９の種類に特に限定はない。空調装置１９には、図示はしていないが、制御器が内蔵されている。
【００４０】
空調装置１９の制御器には、設定温度が格納されている。設定温度は、任意に設定、変更することができる。制御器は、温度センサ１８から出力された工場内部の温度によって空調装置１９の運転を決定する。制御器は、タイマー機能を有し、その機能を利用して空調空気の送気開始・停止の時間設定や空調空気の間欠送気の設定が可能である。スポット空調用吹出口２１は、図１に示すように、各作業エリア１４の近傍に設置され、空調装置１９から送られた冷却空気を各作業エリア１４に向かって送気する。吹出口２１は、送気ダクト２０を介して空調装置１９に接続されている。吹出口２１には、蛇腹ホース吹出口とパンカルーバーとが利用されている。
【００４１】
微霧噴霧ユニット１６は、微霧発生装置２２とホース２３と微霧噴射ノズル２４（ヘッダー）とを備えている。微霧発生装置２２は、ホース２３を介して微霧を各作業エリア１４に送る。発生装置２２は、図示はしていないが、高圧ポンプと制御ボックスとを有する。微霧噴射ノズル２４は、１０μｍ〜５０μｍの微細な霧（微霧）を発生させる。ポンプには、それに水を供給する水道管２５が接続されている。制御ボックスには、設定温度と設定湿度とが格納されている。設定温度や設定湿度は、任意に設定、変更することができる。制御ボックスは、温度センサ１８から出力された工場内部の温度によって微霧の噴霧を開始かつ継続し、または、微霧の噴霧を停止する。あるいは、湿度センサ１７から出力された工場内部の湿度によって微霧の噴霧を開始かつ継続し、または、微霧の噴霧を停止する。なお、制御ボックスは、タイマー機能を有し、その機能を利用して微霧の噴霧開始・停止の時間設定や微霧の間欠噴霧の設定が可能である。また、雨感知機能を有し、雨を自動感知して微霧の噴霧を停止する。
【００４２】
微霧噴射ノズル２４は、各作業エリア１４の周縁またはその外側近傍に設置され、微霧を各作業エリア１４に向かって噴霧する。微霧噴射ノズル２４は、ホース２３を介して微霧発生装置２２に接続されている。微霧噴射ノズル２４は、スポット空調用吹出口２１よりも上方であってノズル２４から噴霧された微霧を吹出口２１から送気された冷却空気の気流に乗せることが可能な設置位置に配置されている。なお、ノズル２４は、そこから噴霧された微霧を吹出口２１から送気された冷却空気の気流に乗せることが可能であれば、スポット空調用吹出口２１の近傍の設置位置に配置されていてもよい。
【００４３】
湿度センサ１７は、作業エリア１４以外の工場１２の内部空間１１に設置され、インターフェイス（図示せず）を介して微霧発生装置２２の制御ボックスに接続されている。湿度センサ１７は、作業エリア１４を除く工場１２の内部空間１１の湿度を測定し、測定した湿度を微霧発生装置２２の制御ボックスに出力する。温度センサ１８は、作業エリア１４以外の工場１２の内部空間１１に設置され、インターフェイス（図示せず）を介してスポット空調ユニット１５の空調装置１９と微霧発生装置２２の制御ボックスとに接続されている。温度センサ１８は、作業エリア１４を除く工場１２の内部空間１１の温度を測定し、測定した温度をスポット空調ユニット１５の空調装置１９と微霧発生装置２２の制御ボックスとに出力する。
【００４４】
図２，３は、一例として示すスポット空調用吹出口２１と微霧噴射ノズル２４との正面図であり、図４，５は、他の一例として示すスポット空調用吹出口２１と微霧噴射ノズル２４との正面図である。図６は、スポット空調用吹出口２１と微霧噴射ノズル２４との側面図であり、図７は、レール２６に固定した状態で示す微霧噴射ノズル２４の正面図である。図８は、レール２６に固定した状態で示す微霧噴射ノズル２４の側面図である。図２〜６では、上下方向を矢印Ａ、横方向を矢印Ｂで示し（図６を除く）、前後方向を矢印Ｃで示す（図２〜５を除く）。図２，４ではノズル２４が第１設置位置３３に配置され、図３，５では、ノズル２４が第２設置位置３４に配置されている。図６では、図２〜５の第１および第２設置位置３３，３４に配置されたノズル２４を同時に表示し、かつ、レール２６を前後方向に表示することで、ノズル２４の前後方向の位置関係を示す。
【００４５】
図２，３では、スポット空調用吹出口２１の上方に横方向へ等間隔離間して並ぶ３つの微霧噴射ノズル２４が配置されている。図４，５では、スポット空調用吹出口２１の上方に１つの微霧噴射ノズル２４が配置されている。ノズル２４は、スポット空調用吹出口２１の上方において上下方向へ延びるレール２６に着脱可能に取り付けられている。なお、レール２６に取り付けられるノズル２４の個数に特に限定はなく、吹出口２１の上方に２つのノズル２４が配置されていてもよく、３つを超過するノズル２４が配置されていてもよい。
【００４６】
レール２６は、その上端部が仮天井２７に取り付けられ、仮天井２７において水平方向へ回転可能である。レール２６に対するノズル２４の取付位置を変えることで、ノズル２４が上下方向へ移動可能である。さらに、レール２６が水平方向へ回転することで、ノズル２４の向きを第１および第２設置位置３３，３４において横方向へ変更可能である。レール２６には、上下方向へ並ぶ複数の開口２８が形成されている。レール２６の仮天井２７における取付位置は、図６に示すように、スポット空調用吹出口２１から前後方向後方から前後方向前方であって作業エリア１４の周縁またはその外側近傍である。
【００４７】
スポット空調用吹出口２１からレール２６の仮天井２７における取付位置までの前後方向の離間距離Ｍ１は、図６に示すように、吹出口２１から送気される冷却空気の風量や風速によって最適な距離に調整され、吹出口２１から前方へ０〜３ｍの範囲または吹出口２１から後方へ０〜３ｍの範囲で調整される。換言すれば、吹出口２１の中心３６から上方へ仮想した仮想線Ｌ３から最も前後方向前方に位置するノズル２４から延出する仮想線Ｌ１までの離間距離Ｍ１が０〜３ｍの範囲内にあり、仮想線Ｌ３から最も前後方向後方に位置するノズル２４から延出する仮想線Ｌ１までの離間距離Ｍ１が０〜３ｍの範囲内にある。レール２６の仮天井２７における取付位置によって微霧噴射ノズル２４は、スポット空調用吹出口２１の近接位置と、吹出口２１から前後方向前方または前後方向後方へ所定距離離間した離間位置との間のいずれかの位置に配置される。微霧噴射ノズル２４の噴射口２９は、前後方向前方（作業エリア１４）へ向かっている。
【００４８】
レール２６に微霧噴射ノズル２４を固定する手順の一例は、図７，８に示すように、半円形の固定枠３０の内側にノズル２４を配置した後、固定枠３０の両端部３１をレール２６の開口２８に挿入する。固定枠３０の両端部３１には、螺子溝が形成されている。固定枠３０の両端部３１をレール２６の開口２８に挿入した後、両端部３１の螺子溝にナット３２を螺着し、レール２６と固定枠３０とでノズル２４を挟み込み、ノズル２４をレール２６に固定する。
【００４９】
レール２６における固定枠３０の取付位置を変更することで、ノズル２４のレール２６における取付位置を変えることができ、ノズル２６の位置を上下方向へ変更することができる。レール２６を仮天井２７において水平方向へ回転させることで、ノズル２４の向きを第１および第２設置位置において横方向へ変更することができる。なお、レール２６では、微霧噴射ノズル２４が前後方向へ水平に保持されている。したがって、第１および第２設置位置３３，３４に配置された微霧噴射ノズル２４の噴射口２９から下方へ引いた仮想線Ｌ１とノズル２４の軸線Ｌ２との交差角度αは９０度である。
【００５０】
工場１２の内部空間１１の温度が高い場合は、微霧噴射ノズル２４がスポット空調用吹出口２１に近い第１設置位置３３に配置される。第１設置位置３３は、スポット空調用吹出口２１の周縁３５の上端から上方へ所定距離離間している。スポット空調用吹出口２１の周縁３５の上端から第１設置位置３３までの離間距離Ｍ２は、０〜１００ｃｍの範囲、好ましくは、４０〜６０ｃｍの範囲、より好ましくは、５０ｃｍである。また、工場１２の内部空間１１の温度が高い場合は、微霧噴射ノズル２４の向きがスポット空調用吹出口２１に向かう方向に保持される。この場合は、必ずしもノズル２４が第１設置位置３３に配置される必要はなく、ノズル２４が吹出口２１から離間した位置または吹出口２１に近接した位置に配置されてもよい。なお、工場１２の内部空間１１の温度が高い場合において、微霧噴射ノズル２４が第１設置位置３３に配置されるとともに、ノズル２４の向きが吹出口２１に向かう方向に保持されてもよい。
【００５１】
工場１２の内部空間１１の温度が低い場合は、微霧噴射ノズル２４が第１設置位置３３から上方へ離間した第２設置位置３４に設置される。第２設置位置３４は、第１設置位置３３から上方へ所定距離離間している。第１設置位置３３から第２設置位置３４までの離間距離Ｍ３は、２０〜１００ｃｍの範囲、好ましくは、４０〜６０ｃｍの範囲、より好ましくは、５０ｃｍである。また、工場１２の内部空間１１の温度が低い場合は、微霧噴射ノズル２４の向きがスポット空調用吹出口２１から離間する方向に保持される。この場合は、ノズル２４が第２設置位置３４に配置されず、第１設置位置に近接した位置に配置されてもよい。なお、工場１２の内部空間１１の温度が低い場合において、微霧噴射ノズル２４が第２設置位置３４に設置されるとともに、ノズル２４の向きが吹出口２１から離間する方向に保持されてもよい。
【００５２】
図９，１０は、他の一例として示すスポット空調用吹出口２１と微霧噴射ノズル２４との正面図である。図９，１０では、上下方向を矢印Ａで示し、横方向を矢印Ｂで示す。図９の態様では、図３と同一の３つの微霧噴射ノズル２４が横方向へ移動可能であり、さらに、ノズル２４の向きを横方向へ変更可能である。図１０の態様では、図５と同一の１つの微霧噴射ノズル２４が横方向へ移動可能であり、さらに、ノズル２４の向きを横方向へ変更可能である。なお、図９，１０では、ノズル２４が第２設置位置３４に配置されているが、ノズル２４が第１設置位置３３に配置されていてもよい。レール２６を仮天井２７において水平方向へ回転させることで、吹出口２１に対するノズル２４の向きを横方向へ変更することができ、レール２６を仮天井２７において横方向へ移動させることで、吹出口２１に対するノズル２４の位置を横方向へ変更することができる。
【００５３】
第１設置位置３３に配置された微霧噴射ノズル２４の噴射口２９と第２設置位置３４に配置された微霧噴射ノズル２４の噴射口２９とからスポット空調用吹出口２１に向かって下方へ引いた仮想線Ｌ１は、図９，１０に示すように、吹出口２１の中心３６から上方へ仮想した仮想線Ｌ３に対し、横方向両側に向かって０〜３ｍの範囲内にある。換言すれば、仮想線Ｌ３から最も横方向外側に位置するノズル２４から延出する仮想線Ｌ１までの離間距離Ｍ５が０〜３ｍの範囲内にある。
【００５４】
なお、仮想線Ｌ１は、好ましくは、吹出口２１の中心３６から横方向両側に位置する吹出口２１の周縁３５の外側近傍までの範囲内にあることが好ましい。仮想線Ｌ１が前記範囲内（０〜３ｍ）にあることにより、第１設置位置３３と第２設置位置３４とがスポット空調用吹出口２１の周縁３５から大きく離間した位置になることはなく、微霧噴射ノズル２４の噴射口２９から噴霧された微霧を吹出口２１から送気された冷却空気の気流に確実に乗せることができる。
【００５５】
図９，１０の態様において、工場１２の内部空間１１の温度が高い場合は、微霧噴射ノズル２４がスポット空調用吹出口２１に近い第１設置位置３３に配置され、仮想線Ｌ１が吹出口２１の中心３６から横方向両側に位置する吹出口２１の周縁３５の外側近傍までの範囲内にあり、微霧噴射ノズル２４の向きがスポット空調用吹出口２１に向かう方向に保持される。なお、工場１２の内部空間１１の温度が高い場合において、ノズル２４が第１設置位置３３に配置されるとともに、仮想線Ｌ１が吹出口２１の中心３６から横方向両側に位置する吹出口２１の周縁３５の外側近傍までの範囲内にあれば、ノズル２４の向きが吹出口２１に向かう方向に保持されていなくてもよい。また、仮想線Ｌ１が吹出口２１の中心３６から横方向両側に位置する吹出口２１の周縁３５の外側近傍までの範囲内にあり、ノズル２４の向きが吹出口２１に向かう方向に保持されていれば、必ずしもノズル２４が第１設置位置３３に配置される必要はなく、ノズル２４が吹出口２１から離間した位置または吹出口２１に近接した位置に配置されてもよい。
【００５６】
図９，１０の態様において、工場１２の内部空間１１の温度が低い場合は、微霧噴射ノズル２４が第２設置位置３４に設置され、仮想線Ｌ１が吹出口２１の周縁３５の外側近傍から横方向外方にあり、ノズル２４の向きが吹出口２１から離間する方向に保持される。なお、工場１２の内部空間１１の温度が低い場合において、ノズル２４が第２設置位置３４に配置されるとともに、仮想線Ｌ１が吹出口２１の周縁３５の外側近傍から横方向外方にあれば、ノズル２４の向きが吹出口２１に向かう方向に保持されていてもよい。また、仮想線Ｌ１が吹出口２１の周縁３５の外側近傍から横方向外方にあり、ノズル２４の向きが吹出口２１から離間する方向に保持されていれば、必ずしもノズル２４が第２設置位置３３に配置される必要はなく、ノズル２４が吹出口２１に近接した位置に配置されてもよい。
【００５７】
システム１０を起動させると、スポット空調ユニット１５、微霧噴霧ユニット１６、湿度センサ１７、温度センサ１８が稼動する。温度センサ１８は、作業エリア１４を除く工場１２の内部空間１１の温度を測定する。測定温度は、温度センサ１８からスポット空調ユニット１５の空調装置１９に出力されるとともに、微霧発生装置２２の制御ボックスに出力される。
【００５８】
空調装置１９の制御器は、温度センサ１８から出力された測定温度とあらかじめ格納された設定温度（たとえば、２４℃）とを比較する。制御器は、測定温度が設定温度以上の場合、空調装置１９の運転を開始する。一方、測定温度が設定温度未満の場合、空調装置１９の運転は行わず、あるいは、空調装置１９の運転を停止する。微霧発生装置２２の制御ボックスは、温度センサ１８から出力された測定温度とあらかじめ格納された設定温度（たとえば、２４℃）とを比較する。制御ボックスは、測定温度が設定温度以上の場合、微霧発生装置２２の運転を開始する。一方、測定温度が設定温度未満の場合、微霧発生装置２２の運転は行わず、あるいは、微霧発生装置２２の運転を停止する。
【００５９】
湿度センサ１７は、作業エリア１４を除く工場１２の内部空間１１の湿度を測定する。測定湿度は、微霧発生装置２２の制御ボックスに出力される。微霧発生装置２２の制御ボックスは、湿度センサ１７から出力された測定湿度とあらかじめ格納された設定湿度（たとえば、湿度５０〜７０％）とを比較する。制御ボックスは、測定湿度が設定湿度以下の場合、微霧発生装置２２の運転を開始する。一方、測定湿度が設定湿度を超過すると、微霧発生装置２２の運転は行わず、あるいは、微霧発生装置２２の運転を停止する。
【００６０】
以下、測定温度が空調装置１９の制御器や微霧発生装置２２の制御ボックスの設定温度以上であって、測定湿度が制御ボックスの設定湿度以下であり、空調装置１９と微霧発生装置２２との運転が行われる場合について説明する。空調装置１９の運転が開始されると、空調装置１９は、送気ダクト２０を介して空調空気を各作業エリア１４に送る。空調装置１９から送られた冷却空気は、送気ダクト２０を通って各スポット空調用吹出口２１に達し、吹出口２１から各作業エリア１４に向かって送気される。なお、制御器は、測定温度によって空気を冷却しない場合（たとえば、測定温度が２５〜２７℃）と冷却（冷房）する場合（たとえば、測定温度が２８℃以上）とがある。空気を冷却しない場合、工場１２の内部空間１１の室温と同一温度の空気が送気される。空気を冷却する場合、内部空間１１の室温よりも低い冷却された冷却空気が送気される。なお、空調装置１９から冷却空気が送気されているものとする。また、スポット空調用吹出口２１から送気される冷却空気は、工場１２の内部空間１１の湿度と同一湿度の冷却空気である場合、または、工場１２の内部空間１１の湿度よりも減湿された冷却空気である場合がある。
【００６１】
微霧発生装置２２の運転が開始されると、噴霧装置２２は、ホース２３を介して高圧水を各作業エリア１４に送る。噴霧装置２２から送られた高圧水は、ホース２３を通って各微霧噴射ノズル２４に達し、ノズル２４の噴射口２９から微霧として各作業エリア１４に向かって噴霧される。微霧は、吹出口２１から送気された冷却空気の気流に乗って各作業エリア１４に向かうとともに、冷却空気の気流中において気化する。なお、制御ボックスは、測定温度が設定温度未満であると、微霧発生装置２２の運転を停止し、微霧の噴霧を停止する。または、測定湿度が設定湿度を超過すると、微霧発生装置２２の運転を停止し、微霧の噴霧を停止する。
【００６２】
工場１２の内部空間１１の測定温度が設定温度未満の場合にノズル２４から微霧を噴霧すると、微霧の気化冷却によって作業エリア１４の温度が必要以上に低下し、作業者の作業効率が低下する。しかし、測定温度が設定温度未満の場合、微霧発生装置２２の運転が行われず、または、微霧発生装置２２の運転を停止するから、作業エリア１４の温度が必要以上に低下することはない。工場１２の内部空間１１の測定湿度が設定湿度を超過した場合にノズル２４から微霧を噴霧すると、微霧が冷却空気の気流中において十分に気化せず、水滴として作業者１３に付着してしまい、作業者１３に不快感を与える。しかし、測定湿度が設定湿度を超過すると、微霧発生装置２２の運転が行われず、または、微霧発生装置２２の運転を停止するから、作業者１３に水滴が付着することはなく、作業者１３に不快感を与えることはない。
【００６３】
工場１２の内部空間１１の温度が高く（たとえば、２８℃以上）、微霧噴射ノズル２４がスポット空調用吹出口２１の周縁３５の上端から上方の範囲の第１設置位置３３に配置された場合（仮想線Ｌ１が吹出口２１の中心３６から横方向両側に位置する吹出口２１の周縁３５の外側近傍までの範囲内にある場合、または、ノズル２４の向きが吹出口２１に向かう方向に保持される場合も含む）は、ノズル２４の噴射口２９から噴霧される微霧の大部分が吹出口２１から送気される冷却空気の気流に乗る。その結果、大部分の微霧の冷却空気の気流中における気化が作業エリア１４またはその近傍となり、冷却空気と微霧の気化冷却とによって作業エリア１４の気温の降下幅が大きくなる。微霧噴射ノズル２４を第１設置位置３３に配置することで、工場１２の内部空間１１の温度が高い場合でも、冷却空気と微霧の気化冷却とを利用し、作業エリア１４の気温の降下幅を大きくすることができ、作業エリア１４を直ちに作業に適した温度にすることができる。
【００６４】
第１設置位置３３が吹出口２１の周縁３５の上端から１００ｃｍを超過すると、ノズル２４の噴射口２９から噴霧される微霧の一部が吹出口２１から送気される冷却空気の気流に乗る前に気化し、微霧の気化を十分に利用することができず、作業エリア１４の気温の降下幅を大きくすることができない。仮想線Ｌ１が吹出口２１の周縁３５の外側近傍から横方向外方にあり、または、ノズル２４の向きが吹出口２１から離間する方向に保持されていると、ノズル２４の噴射口２９から噴霧される微霧の一部が吹出口２１から送気される冷却空気の気流に乗らない場合があり、微霧の気化を十分に利用することができず、作業エリア１４の気温の降下幅を大きくすることができない。
【００６５】
工場１２の内部空間１１の温度が低く（たとえば、測定温度が２５〜２７℃）、微霧噴射ノズル２４が第１設置位置３３から上方の第２設置位置３４に配置された場合（仮想線Ｌ１が吹出口２１の周縁３５の外側近傍から横方向外方にある場合、または、ノズル２４の向きが吹出口２１から離間する方向に保持されている場合も含む）は、ノズル２４の噴射口２９から噴霧される微霧の一部が吹出口２１から送気される冷却空気の気流に乗る前に気化する。その結果、気化した一部の微霧を除く微霧のみが冷却空気の気流中で気化し、微霧の大部分が冷却空気の気流中で気化する場合と比較し、作業エリア１４の気温の降下幅が小さくなる。微霧噴射ノズル２４を第２設置位置３４に配置することで、作業エリア１４の必要以上の温度低下を防ぐことができ、工場１２の内部空間１１の温度が低い場合であっても、作業エリア１４を作業に適した温度にすることができる。
【００６６】
図１１は、他の一例として示すスポット空調用吹出口２１と微霧噴射ノズル２４との正面図であり、図１２は、レール２６に固定した状態で示す微霧噴射ノズル２４の側面図である。図１３は、第１角度α１に保持された微霧噴射ノズル２４の側面図であり、図１４は、第２角度α２に保持された微霧噴射ノズル２４の側面図である。図１１では、上下方向を矢印Ａで示し、横方向を矢印Ｂで示す。図１１では、ノズル２４が設置位置３７に配置されている。図１２では、ノズル２４が上下方向の一方へ所定の角度で傾斜している。
【００６７】
図１１では、スポット空調用吹出口２１の前方かつ上方に１つの微霧噴射ノズル２４が配置されている。微霧噴射ノズル２４は、スポット空調用吹出口２１の前方かつ上方において上下方向へ延びるレール２６に着脱可能に取り付けられている。なお、ノズル２４の個数に特に限定はない。微霧噴射ノズル２４やレール２６は図２〜５のそれらと同一であり、レール２６の仮天井２７における取付位置は図６のそれと同一である。微霧噴射ノズル２４は、図６のそれと同様に、仮天井２７におけるレール２６の取付位置によって、スポット空調用吹出口２１の近接位置と吹出口２１から前後方向前方または後方へ所定距離離間した離間位置との間のいずれかの位置に配置される。
【００６８】
微霧噴射ノズル２４は、スポット空調用吹出口２１の前方かつ上方の設置位置３７に配置されている。設置位置３７は、スポット空調用吹出口２１の周縁３５の上端から上方へ所定距離離間している。スポット空調用吹出口２１の周縁３５の上端から設置位置３７までの離間距離Ｍ４は、０〜１００ｃｍの範囲、好ましくは、４０〜７０ｃｍ、より好ましくは、５０ｃｍである。
【００６９】
微霧噴射ノズル２４は、図１２に示すように、その角度が設置位置３７において上下方向へ変更可能である。また、レール２６が水平方向へ回転することで、ノズル２４の向きを設置位置３７において横方向へ変更可能である。レール２６に微霧噴射ノズル２４を固定する手順の一例は、半円形の固定枠３０の内側に所定の角度を設けた状態でノズル２４を配置した後、固定枠３０の両端部３１をレール２６の開口２８に挿入する。固定枠３０の両端部３１をレール２６の開口２８に挿入した後、両端部３１の螺子溝にナット３２を螺着し、レール２６と固定枠３０とでノズル２４を挟み込み、ノズル２４をレール２６に固定する。ノズル２４のレール２６に対する固定角度を変えることで、ノズル２４の角度を上下方向へ変更することができる。
【００７０】
工場１２の内部空間１１の温度が高い場合は、微霧噴射ノズル２４の角度がスポット空調用吹出口２１に向かうように上下方向下方（水平を含む）へ傾斜した第１角度α１に保持される。また、工場１２の内部空間１１の温度が高い場合は、微霧噴射ノズル２４の向きがスポット空調用吹出口２１に向かう方向に保持される。なお、工場１２の内部空間１１の温度が高い場合において、微霧噴射ノズル２４の角度が第１角度α１に保持されるとともに、ノズル２４の向きが吹出口２１に向かう方向に保持されてもよい。
【００７１】
工場１２の内部空間１１の温度が低い場合は、微霧噴射ノズル２４の角度がスポット空調用吹出口２１から離間するように上下方向上方へ傾斜した第２角度α２に保持される。また、工場１２の内部空間１１の温度が低い場合は、微霧噴射ノズル２４の向きがスポット空調用吹出口２１から離間する方向に保持される。なお、工場１２の内部空間１１の温度が低い場合において、微霧噴射ノズル２４の角度が第２角度α２に保持されるとともに、ノズル２４の向きが吹出口２１から離間する方向に保持されてもよい。
【００７２】
なお、第１角度α１は、図１１に示すように、設置位置３７に配置された微霧噴射ノズル２４の噴射口２４から下方へ引いた仮想線Ｌ１とノズル２４の軸線Ｌ２との交差角度α１として表され、その交差角度α１が９０〜１８０度の範囲、好ましくは、９０〜１３０度の範囲にある。また、第２角度α２は、図１２に示すように、設置位置３７に配置された微霧噴射ノズル２４の噴射口２４から下方へ引いた仮想線Ｌ１とノズル２４の軸線Ｌ２との交差角度α２として表され、その交差角度α２が４５〜９０度の範囲、好ましくは、４５〜８０度の範囲にある。
【００７３】
図１５は、他の一例として示すスポット空調用吹出口２１と微霧噴射ノズル２４との正面図である。図１５の態様では、１つの微霧噴射ノズル２４の角度が上下方向へ変更可能、ノズル２４が横方向へ移動可能であり、さらに、ノズル２４の向きを横方向へ変更可能である。ノズル２４のレール２６に対する固定角度を変えることで、ノズル２４の角度を上下方向へ変更することができ、レール２６を仮天井２７において水平方向へ回転させることで、吹出口２１に対するノズル２４の向きを横方向へ変更することができる。レール２６を仮天井２７において横方向へ移動させることで、吹出口２１に対するノズル２４の位置を横方向へ変更することができる。
【００７４】
設置位置３７に配置された微霧噴射ノズル２４の噴射口２９からスポット空調用吹出口２１に向かって下方へ引いた仮想線Ｌ１は、図１５に示すように、吹出口２１の中心３６から上方へ仮想した仮想線Ｌ３に対し、横方向両側に向かって０〜３ｍの範囲内にある。換言すれば、仮想線Ｌ３から最も横方向外側に位置するノズル２４から延出する仮想線Ｌ１までの離間距離Ｍ５が０〜３ｍの範囲内にある。
【００７５】
なお、仮想線Ｌ１は、好ましくは、吹出口２１の中心３６から横方向両側に位置する吹出口２１の周縁３５の外側近傍までの範囲内にあることが好ましい。仮想線Ｌ１が前記範囲内（０〜３ｍ）にあることにより、設置位置３７がスポット空調用吹出口２１の周縁３５から大きく離間した位置になることはなく、微霧噴射ノズル２４の噴射口２９から噴霧された微霧を吹出口２１から送気された冷却空気の気流に確実に乗せることができる。
【００７６】
図１５の態様において、工場１２の内部空間１１の温度が高い場合は、微霧噴射ノズル２４の角度が第１角度α１に保持され、仮想線Ｌ１が吹出口２１の中心３６から横方向両側に位置する吹出口２１の周縁３５の外側近傍までの範囲内にあり、微霧噴射ノズル２４の向きがスポット空調用吹出口２１に向かう方向に保持される。なお、工場１２の内部空間１１の温度が高い場合において、ノズル２４の角度が第１角度α１に保持されるとともに、仮想線Ｌ１が吹出口２１の中心３６から横方向両側に位置する吹出口２１の周縁３５の外側近傍までの範囲内にあれば、ノズル２４の向きが吹出口２１に向かう方向に保持されていなくてもよい。また、ノズル２４の角度が第１角度α１に保持されるとともに、ノズル２４の向きが吹出口２１に向かう方向に保持されていれば、必ずしも仮想線Ｌ１が吹出口２１の中心３６から横方向両側に位置する吹出口２１の周縁３５の外側近傍までの範囲内にある必要はない。
【００７７】
図１５の態様において、工場１２の内部空間１１の温度が低い場合は、微霧噴射ノズル２４の角度が第２角度α２に保持され、仮想線Ｌ１が吹出口２１の周縁３５の外側近傍から横方向外方にあり、ノズル２４の向きが吹出口２１から離間する方向に保持される。なお、工場１２の内部空間１１の温度が低い場合において、ノズル２４の角度が第２角度α２に保持されるとともに、仮想線Ｌ１が吹出口２１の周縁３５の外側近傍から横方向外方にあれば、ノズル２４の向きが吹出口２１に向かう方向に保持されていてもよい。また、ノズル２４の角度が第２角度α２に保持されるとともに、ノズル２４の向きが吹出口２１から離間する方向に保持されていれば、仮想線Ｌ１が吹出口２１の周縁３５の外側近傍から横方向外方にある必要はない。
【００７８】
以下、図１１，１５の態様において、測定温度が空調装置１９の制御器や微霧発生装置２２の制御ボックスの設定温度以上であって、測定湿度が制御ボックスの設定湿度以下であり、空調装置１９と微霧発生装置２２との運転が行われる場合について説明する。空調装置１９の運転や微霧発生装置２２の運転は図２〜５のそれらと同一である。なお、空調装置１９から冷却空気が送気されているものとする。
【００７９】
空調装置１９の制御器は、測定温度が設定温度未満の場合、空調装置１９の運転は行わず、あるいは、空調装置１９の運転を停止する。微霧発生装置２２の制御ボックスは、測定温度が設定温度未満の場合、微霧発生装置２２の運転は行わず、あるいは、微霧発生装置２２の運転を停止する。また、制御ボックスは、測定湿度が設定湿度を超過すると、微霧発生装置２２の運転は行わず、あるいは、微霧発生装置２２の運転を停止する。
【００８０】
工場１２の内部空間１１の温度が高く（たとえば、２８℃以上）、微霧噴射ノズル２４の角度が設置位置３７において第１角度α１に保持された場合（仮想線Ｌ１が吹出口２１の中心３６から横方向両側に位置する吹出口２１の周縁３５の外側近傍までの範囲内にある場合、または、ノズル２４の向きが吹出口２１に向かう方向に保持される場合も含む）は、ノズル２４がスポット空調用吹出口２１に向かい、ノズル２４の噴射口２９から噴霧される微霧の大部分が吹出口２１から送気される冷却空気の気流に乗る。その結果、大部分の微霧の冷却空気の気流中における気化が作業エリア１４またはその近傍となり、冷却空気と微霧の気化冷却とによって作業エリア１４の気温の降下幅が大きくなる。微霧噴射ノズル２４の角度を設置位置３７において第１角度α１に保持することで、工場１２の内部空間１１の温度が高い場合でも、冷却空気と微霧の気化冷却とを利用し、作業エリア１４の気温の降下幅を大きくすることができ、作業エリア１４を直ちに作業に適した温度にすることができる。
【００８１】
第１角度α１である交差角度α１が９０度未満では、ノズル２４の噴射口２９から噴霧される微霧の一部が吹出口２１から送気される冷却空気の気流に乗る前に気化し、微霧の気化を十分に利用することができず、作業エリア１４の気温の降下幅を大きくすることができない。第１角度α１である交差角度α１が１８０度を超過すると、ノズル２４の噴射口２９から噴霧される微霧の一部が吹出口２１から送気される冷却空気の気流に乗らない場合があり、微霧の気化を十分に利用することができず、作業エリア１４の気温の降下幅を大きくすることができない。また、微霧の一部が吹出口２１から送気される冷却空気の気流中において十分に気化しない場合があり、微霧が水滴として作業者１３に付着してしまう場合がある。
【００８２】
工場１２の内部空間１１の温度が低く（たとえば、測定温度が２５〜２７℃）、微霧噴射ノズル２４の角度が設置位置３７において第２角度α２に保持された場合（仮想線Ｌ１が吹出口２１の周縁３５の外側近傍から横方向外方にある場合、または、ノズル２４の向きが吹出口２１から離間する方向に保持されている場合も含む）は、ノズル２４の噴射口２９から噴霧される微霧の一部が吹出口２１から送気される冷却空気の気流に乗る前に気化する。その結果、気化した一部の微霧を除く微霧のみが冷却空気の気流中で気化し、微霧の大部分が冷却空気の気流中で気化する場合と比較し、作業エリア１４の気温の降下幅が小さくなる。微霧噴射ノズル２４の角度を設置位置３７において第２角度α２に保持することで、作業エリア１４の必要以上の温度低下を防ぐことができ、工場１２の内部空間１１の温度が低い場合であっても、作業エリア１４を作業に適した温度にすることができる。
【００８３】
第２角度α２である交差角度α２が４５度未満では、微霧噴射ノズル２４の噴射口２９から噴霧される微霧の大部分が吹出口２１から送気される冷却空気の気流に乗る前に気化し、微霧の気化冷却を作業エリア１４の気温降下に利用することができない。
【００８４】
スポット空調システム１０は、微霧をスポット空調用吹出口２１から送気された冷却空気の気流に乗せることが可能な設置位置３３，３４，３７に微霧噴射ノズル２４が配置されているから、吹出口２１から送気される冷却空気で微霧を気化させることができ、微霧を作業エリア１４の気温降下に確実に利用することができる。スポット空調システム１０は、スポット空調用吹出口２１から送気される冷却空気の気流中で微霧が気化するから、冷却空気が室内空気と混合したとしても、冷却空気の温度上昇を抑制することができ、冷却空気を作業エリア１４の気温降下に確実に利用することができる。
【００８５】
スポット空調システム１０は、スポット空調用吹出口２１から送気された冷却空気と微霧噴射ノズル２４から噴霧された微霧の気化冷却とを利用し、作業エリア１４の気温を確実かつ迅速に降下させることができ、作業エリア１４を直ちに作業に適した温度にすることができる。スポット空調システム１０は、微霧の気化冷却を利用して冷却空気の温度上昇を抑制するから、小さな出力で空調装置１９を運転することができ、空調装置１９の消費電力を低減することができる。
【００８６】
スポット空調システム１０は、空調空気が工場１２の内部空間１１の温度と同一温度（室温）の空気であったとしても、微霧の空調空気の気流中における気化によって室温の空調空気の温度が降下し、それによって作業エリア１４の気温を降下させることができる。また、空調空気が室温よりも低い冷却された冷却空気である場合、その冷却空気がスポット空調用吹出口２１から送気されるから、吹出口２１からの冷却された冷却空気とノズル２４から噴霧された微霧の気化冷却とを利用し、作業エリア１４の気温を迅速に降下させることができ、作業エリア１４を直ちに作業に適した温度にすることができる。
スポット空調システム１０は、冷却空気が工場１２の内部空間１１の湿度と同一湿度の空気であったとしても、微霧の冷却空気の気流中における気化によって冷却空気の温度上昇を防ぎ、それによって作業エリア１４を作業に適した温度にすることができる。また、冷却空気が工場１２の内部空間１１の湿度よりも減湿された冷却空気である場合は、スポット空調用吹出口２１からの冷却された冷却空気の気流中で微霧噴射ノズル２４から噴霧された微霧が確実に気化し、冷却空気と微霧の気化冷却とを利用し、作業エリア１４の気温を迅速に降下させることができ、作業エリア１４を直ちに作業に適した温度にすることができる。
【００８７】
工場１２の内部空間１１の温度が高いときに微霧噴射ノズル２４がスポット空調用吹出口２１に近い第１設置位置３３に配置され、内部空間１１の温度が低いときにノズル２４が第２設置位置３４に配置される場合におけるスポット空調システム１０は、内部空間１１の温度が高いときにノズル２４を吹出口２１に近い第１設置位置３３に配置することで、ノズル２４から噴霧される微霧の大部分が吹出口２１から送気される冷却空気の気流に乗り、その結果、大部分の微霧の冷却空気の気流中における気化が作業エリア１４またはその近傍となり、冷却空気と微霧の気化冷却とを利用し、作業エリア１４の気温の降下幅を大きくすることができる。一方、内部空間１１の温度が低いときにノズル２４を第２設置位置３４に配置することで、ノズル２４から噴霧される微霧の一部が吹出口２１から送気される冷却空気の気流に乗る前に気化し、その結果、気化した一部の微霧を除く微霧のみが冷却空気の気流中で気化し、微霧の大部分が冷却空気の気流中で気化する場合と比較し、作業エリア１４の気温の降下幅が小さく、作業エリア１１４の必要以上の温度低下を防ぐことができる。
【００８８】
工場１２の内部空間１１の温度が高いときに微霧噴射ノズル２４の向きがスポット空調用吹出口２１に向かう方向に保持され、内部空間１１の温度が低いときにノズル２４の向きが吹出口２１から離間する方向に保持される場合におけるスポット空調システム１０は、内部空間１１の温度が高いときにノズル２４の向きを吹出口２１に向かう方向に保持することで、ノズル２４から噴霧される微霧の大部分が吹出口２１から送気される冷却空気の気流に乗り、その結果、大部分の微霧の冷却空気の気流中における気化が作業エリア１４またはその近傍となり、冷却空気と微霧の気化冷却とを利用し、作業エリア１４の気温の降下幅を大きくすることができる。一方、内部空間１１の温度が低いときにノズル２４の向きを吹出口２１から離間する方向に保持することで、ノズル２４から噴霧される微霧の一部が吹出口２１から送気される冷却空気の気流に乗る前に気化し、その結果、気化した一部の微霧を除く微霧のみが冷却空気の気流中で気化し、微霧の大部分が冷却空気の気流中で気化する場合と比較し、作業エリア１４の気温の降下幅が小さく、作業エリア１４の必要以上の温度低下を防ぐことができる。
【００８９】
工場１２の内部空間１１の温度が高いときに微霧噴射ノズル２４の角度がスポット空調用吹出口２１に向かうように傾斜した第１角度に保持され、内部空間１１の温度が低いときにノズル２４の角度が吹出口２１から離間するように傾斜した第２角度に保持される場合におけるスポット空調システム１０は、内部空間１１の温度が高いときにノズル２４の角度を第１角度に保持することで、ノズル２４から噴霧される微霧の大部分が吹出口２１から送気される冷却空気の気流に乗り、その結果、大部分の微霧の冷却空気の気流中における気化が作業エリア１４またはその近傍となり、冷却空気と微霧の気化冷却とを利用し、作業エリア１４の気温の降下幅を大きくすることができる。一方、内部空間１１の温度が低いときにノズル２４の角度を第２角度に保持することで、ノズル２４から噴霧される微霧の一部が吹出口２１から送気される冷却空気の気流に乗る前に気化し、その結果、気化した一部の微霧を除く微霧のみが冷却空気の気流中で気化し、微霧の大部分が冷却空気の気流中で気化する場合と比較し、作業エリア１４の気温の降下幅が小さく、作業エリア１４の必要以上の温度低下を防ぐことができる。
【符号の説明】
【００９０】
１０    スポット空調システム
１１    内部空間
１２    工場（建物）
１４    作業エリア
１５    スポット空調冷房ユニット
１６    微霧噴霧ユニット
１７    湿度センサ
１８    温度センサ
１９    空調装置
２０    送気ダクト
２１    スポット空調用吹出口
２２    微霧発生装置
２３    ホース
２４    微霧噴射ノズル
２６    レール
２８    開口
２９    噴射口
３０    固定枠
３３    第１設置位置
３４    第２設置位置
３５    周縁
３６    中心
３７    設置位置
Ｌ１    仮想線
Ｌ２    軸線
Ｌ３    仮想線
Ｍ１    離間距離
Ｍ２    離間距離
Ｍ３    離間距離
Ｍ４    離間距離
Ｍ５    離間距離
α１    第１角度
α２    第２角度
【図１】
2011033221.tif 000003
【図２】
2011033221.tif 000004
【図３】
2011033221.tif 000005
【図４】
2011033221.tif 000006
【図５】
2011033221.tif 000007
【図６】
2011033221.tif 000008
【図７】
2011033221.tif 000009
【図８】
2011033221.tif 000010
【図９】
2011033221.tif 000011
【図１０】
2011033221.tif 000012
【図１１】
2011033221.tif 000013
【図１２】
2011033221.tif 000014
【図１３】
2011033221.tif 000015
【図１４】
2011033221.tif 000016
【図１５】
2011033221.tif 000017